(57)【要約】【課題】カメラによる撮影が可能なカメラモードが設定されているかどうかを外観で判断することが可能であり、然もレンズが損傷を受け難い構造の携帯型通信端末機を提供する。【解決手段】本発明に係る携帯型通信端末機は、扁平なケース１の表面に操作キーとディスプレイを配備して構成される。ケース１は、互いに接近離間可能な下ケース半体２と上ケース半体３から構成され、両ケース半体２、３が互いに離間することによって露出し且つ両ケース半体２、３が互いに接近することによって隠れることとなる位置に、カメラ５とフラッシュ５１が配備されている。【選択図】　　　図４
2004120430.tif 000002
【特許請求の範囲】
【請求項１】
扁平なケース（１）の表面に操作キー（２１）とディスプレイ（３１）を配備してなる携帯型通信端末機において、ケース（１）は、互いに接近離間可能な下ケース半体（２）と上ケース半体（３）から構成され、両ケース半体（２）（３）が互いに離間することによって露出し且つ両ケース半体（２）（３）が互いに接近することによって隠れることとなる位置に、カメラ（５）が配備されていることを特徴とする携帯型通信端末機。
【請求項２】
一方のケース半体には、両ケース半体（２）（３）の離間に連動してスライドし、両ケース半体（２）（３）の間に形成される露出領域を拡大するスライド板（３４）が取り付けられている請求項１に記載の携帯型通信端末機。
【請求項３】
両ケース半体（２）（３）は互いに離間する方向にばね付勢され、両ケース半体（２）（３）は互いに接近した位置でロックすることが可能であると共にロック解除操作が可能である請求項１又は請求項２に記載の携帯型通信端末機。
【請求項４】
カメラ（５）は下ケース半体（２）の裏面側に設置され、上ケース半体（３）は、下ケース半体（２）に対する接近離間方向に伸びる回転軸を有して下ケース半体（２）上で１８０度の回転が可能であり、両ケース半体（２）（３）の対向部には、両ケース半体（２）（３）が互いに接近することによって互いに係合すると共に両ケース半体（２）（３）が互いに離間することによって互いに離脱する係脱機構が設けられている請求項１乃至請求項３の何れかに記載の携帯型通信端末機。
【請求項５】
ケース（１）は、両ケース半体（２）（３）が離間することによって露出する軸部（２０）を有し、該軸部（２０）の裏面側にカメラ（５）が取り付けられ、該軸部（２０）の表面側には、カメラ（５）による撮影が可能であることを示す表示手段が設けられている請求項１乃至請求項４の何れかに記載の携帯型通信端末機。
【請求項６】
両ケース半体（２）（３）を互いに離間させることによって、カメラ（５）による撮影が可能なカメラモードが設定され、両ケース半体（２）（３）を互いに接近させることによって、カメラモードが解除される請求項１乃至請求項５の何れかに記載の携帯型通信端末機。
【発明の詳細な説明】
【０００１】
【発明の属する技術分野】
本発明は、携帯電話機の如く、扁平なケースの表面に操作キーとディスプレイを配備してなる携帯型通信端末機に関するものである。
【０００２】
【従来の技術】
例えば図１６に示す折り畳み式携帯電話機は、上半ケース（２０）と下半ケース（３０）をヒンジ機構（１０４）によって連結してなり、上半ケース（２０）の裏面には、補助ディスプレイ（１０１）とカメラ窓（１０２）が設けられている。カメラ窓（１０２）の奥部には、ＣＣＤカメラ（図示省略）が設置されている。又、上半ケース（２０）の裏面には、カメラ窓（１０２）の側部に、ユーザ自身の像を撮影する際に自身の像を写すことによってカメラの向きを調節するためのミラー部材（１０３）が配備されている（特許文献１参照）。
又、電話機本体にカメラを回転可能に配備したカメラ付き携帯電話機が提案されている（特許文献２、特許文献３参照）。
【０００３】
【特許文献１】
特願２００２−２４４２２６号
【特許文献２】
特開２００１−２４５２６７号公報
【特許文献３】
特開２００１−２９８５１６号公報
【０００４】
【発明が解決しようとする課題】
しかしながら、カメラ付きの携帯電話機は、カメラによる撮影が可能なカメラモードが設定されているかどうかを外観で判断することが出来ないため、カメラ付き携帯電話機を用いた盗撮の問題が発生している。
又、カメラのレンズがケースの表面に露出しているため、レンズが損傷を受け易い問題があった。
【０００５】
そこで本発明の目的は、カメラによる撮影が可能なカメラモードが設定されているかどうかを外観で判断することが可能であり、然もレンズが損傷を受け難い構造の携帯型通信端末機を提供することである。
【０００６】
【課題を解決する為の手段】
本発明に係る携帯型通信端末機は、扁平なケース（１）の表面に操作キー（２１）とディスプレイ（３１）を配備して構成される。ケース（１）は、互いに接近離間可能な下ケース半体（２）と上ケース半体（３）から構成され、両ケース半体（２）（３）が互いに離間することによって露出し且つ両ケース半体（２）（３）が互いに接近することによって隠れることとなる位置に、カメラ（５）が配備されている。
【０００７】
上記本発明の携帯型通信端末機においては、下ケース半体（２）と上ケース半体（３）を互いに離間させることによって、両ケース半体（２）（３）の間の露出領域にカメラ（５）が現われ、該カメラ（５）を用いた撮影が可能となる。又、下ケース半体（２）と上ケース半体（３）を互いに接近させると、両ケース半体（２）（３）によってカメラ（５）が覆われることになる。
【０００８】
具体的構成において、一方のケース半体には、両ケース半体（２）（３）の離間に連動してスライドし、両ケース半体（２）（３）の間に形成される露出領域を拡大するスライド板（３４）が取り付けられている。
該具体的構成においては、下ケース半体（２）と上ケース半体（３）を互いに離間させることによって、スライド板（３４）がスライドし、両ケース半体（２）（３）の間の形成される露出領域を拡大するので、カメラ（５）を完全に露出させるために両ケース半体（２）（３）を大きく離間させる必要はない。
【０００９】
又、具体的構成において、両ケース半体（２）（３）は互いに離間する方向にばね付勢され、両ケース半体（２）（３）は互いに接近した位置でロックすることが可能であると共にロック解除操作が可能である。
該具体的構成によれば、ロック解除操作を行なうことによって、両ケース半体（２）（３）がばね付勢されて互いに離間する。又、ばね付勢に抗して両ケース半体（２）（３）を互いに接近させることにより、両ケース半体（２）（３）は互いに接近した位置でロックされる。従って、ワンタッチのロック解除操作でカメラ（５）を露出させることが出来る。
【００１０】
又、具体的構成において、カメラ（５）は下ケース半体（２）の裏面側に設置され、上ケース半体（３）は、下ケース半体（２）に対する接近離間方向に伸びる回転軸を有して下ケース半体（２）上で１８０度の回転が可能であり、両ケース半体（２）（３）の対向部には、両ケース半体（２）（３）が互いに接近することによって互いに係合すると共に両ケース半体（２）（３）が互いに離間することによって互いに離脱する係脱機構が設けられている。
該具体的構成によれば、上ケース半体（３）を下ケース半体（２）から離間させることによって、両ケース半体（２）（３）の係合が解除されて、上ケース半体（３）の回転が自由となる。そこで上ケース半体（３）を１８０度回転させることにより、ディスプレイ（３１）の向きを反転させることが出来る。これによって、カメラ（５）の撮影方向とディスプレイ（３１）の向きが一致することとなる。従って、カメラ（５）によって操作者自身の映像を撮影する場合、その映像をディスプレイ（３１）に表示すれば、映像を確認した上でシャッター操作を行なうことが出来る。
これに対し、上ケース半体（３）を下ケース半体（２）に接近させることによって、両ケース半体（２）（３）が互いに係合して、上ケース半体（３）の回転が阻止される。
【００１１】
又、具体的構成において、ケース（１）は、両ケース半体（２）（３）が離間することによって露出する軸部（２０）を有し、該軸部（２０）の裏面側にカメラ（５）が取り付けられ、該軸部（２０）の表面側には、カメラ（５）による撮影が可能であることを示す表示手段が設けられている。
該具体的構成によれば、操作者は、カメラ（５）による撮影が可能なカメラモードが設定されたことを確実に認識することが出来る。
【００１２】
更に具体的な構成においては、両ケース半体（２）（３）を互いに離間させることによって、カメラ（５）による撮影が可能なカメラモードが設定され、両ケース半体（２）（３）を互いに接近させることによって、カメラモードが解除される。
【００１３】
【発明の効果】
本発明に係る携帯型通信端末機によれば、両ケース半体（２）（３）を互いに接近させてカメラ（５）を隠した状態で、カメラ（５）による撮影は不可能であり、両ケース半体（２）（３）を互いに離間させてカメラ（５）を露出させた状態で、カメラ（５）による撮影が可能となるので、カメラ（５）が外観に現われているかどうかによって、カメラモード設定の有無を判断することが出来る。従って、第三者はユーザによる盗撮などの悪意の撮影を未然に発見することが出来ると共に、善意のユーザは安心して撮影を行なうことが出来る。又、カメラ（５）による撮影を行なわない状態では、カメラ（５）のレンズはケース（１）によって覆われているので、レンズの損傷を防止することが出来る。
【００１４】
【発明の実施の形態】
以下、本発明を携帯電話機に実施した形態につき、図面に沿って具体的に説明する。
第１実施例
本実施例の携帯電話機は、図１に示す如く、下ケース半体（２）と上ケース半体（３）からなる扁平なケース（１）を具え、下ケース半体（２）の表面に複数の操作キー（２１）が配備されると共に、上ケース半体（３）の表面にディスプレイ（３１）が配備されている。
又、下ケース半体（２）の表面の下端部には送話部（２２）が設けられ、上ケース半体（３）の上端部には受話部（３２）が設けられている。
更に、下ケース半体（２）の側部には、後述の如く両ケース半体（２）（３）を離間させるときに操作すべきロック解除釦（４）が配備されている。
【００１５】
図３に示す如く、下ケース半体（２）の上端部には、上ケース半体（３）へ向かって突出する軸部（２０）が形成され、該軸部（２０）に上ケース半体（３）が摺動可能に係合して、図１及び図２の如く両ケース半体（２）（３）が互いに接近した状態と、図３及び図４の如く両ケース半体（２）（３）が互いに離間した状態の間で、拡縮操作が可能となっている。
【００１６】
図４に示す如く軸部（２０）の裏面には、下ケース半体（２）と上ケース半体（３）が互いに離間することによって形成される露出領域に、ＣＣＤカメラ（５）と撮影時に発光するフラッシュ（５１）とが配設されている。
又、上ケース半体（３）の裏面には、下ケース半体（２）から離れる方向に切り欠かれた切欠き（３３）が形成され、該切欠き（３３）を塞ぐ位置に、スライド板（３４）が下ケース半体（２）に対して接近離間する方向へスライド可能に設置されている。該スライド板（３４）は、両ケース半体（２）（３）の離間に連動してスライドし、両ケース半体（２）（３）の間に形成される露出領域を拡大するものである。
【００１７】
尚、スライド板（３４）の表面は鏡面に仕上げられており、カメラ（５）を用いた操作者自身の撮影に操作者自身をスライド板（３４）の表面に映すことによって、カメラ（５）の向きを調整することが出来る。
【００１８】
図６（ａ）に示す如く、下ケース半体（２）には、バネ（６２）によって上ケース半体（３）側へ付勢された駆動部材（６１）が配備され、該駆動部材（６１）の先端部のＤ点は上ケース半体（３）に連結されている。
又、図６（ａ）（ｂ）に示す如く、上ケース半体（３）には、下ケース半体（２）と上ケース半体（３）の離間に連動してスライド板（３４）のスライドさせるためのリンク部材（６）が配備されている。該リンク部材（６）は、基端部のＡ点が下ケース半体（２）に連結され、中央部のＢ点が上ケース半体（３）に連結され、先端部のＣ点がスライド板（３４）に連結されている。
【００１９】
図６（ａ）の如く下ケース半体（２）と上ケース半体（３）を接近させた状態では、バネ（６２）は圧縮されて、図示省略するロック機構によって、リンク部材（６）は初期位置にロックされている。
前記ロック解除釦（４）を操作すると、前記ロック機構のロックが解除され、リンク部材（６）は前記バネ（６２）によって付勢され、上ケース半体（３）を押し上げる。
【００２０】
これによって図６（ｂ）の如く上ケース半体（３）が下ケース半体（２）から離間する方向に移動すると、リンク部材（６）がＢ点に力を受けて、Ａ点を中心として時計方向に回動し、これに伴うＣ点の変位によってスライド板（３４）が上方へ駆動される。ここで、Ｃ点の変位は、Ｂ点の変位が倍増されたものとなるため、スライド板（３４）の移動距離は、上ケース半体（３）の移動距離よりも大きくなる。
【００２１】
この結果、図５の如くケース（１）の表面側での下ケース半体（２）と上ケース半体（３）の間隔Ｓに比べて、図６（ｂ）の如く下ケース半体（２）とスライド板（３４）の間隔Ｓ′が大きくなり、下ケース半体（２）と上ケース半体（３）の間に大きな露出領域が形成されることになる。
従って、カメラ（５）全体を露出させるために下ケース半体（２）と上ケース半体（３）を大きく離間させる必要はなく、これによって図５の如くケース（１）の表面側での軸部（２０）の露出量を小さく抑えることが出来る。
【００２２】
上述の如く、上ケース半体（３）が下ケース半体（２）から押し上げられると、下ケース半体（２）に内蔵したスイッチ（図示省略）が作動して、カメラ（５）による撮影が可能なカメラモードが設定される。
尚、図５の如く下ケース半体（２）と上ケース半体（３）が互いに離間することによって露出する軸部（２０）の表面には、例えばＬＥＤによる発光等によって、カメラモードが設定されたことが表示される。
カメラモードにおいては、ディスプレイ（３１）がカメラ（５）のビューファインダーとして機能し、シャッター操作を行なうことによって、撮影された画像は一旦メモリに保存される。
【００２３】
撮影終了後、バネ（６２）の付勢力に抗して上ケース半体（３）を押し下げると、該上ケース半体（３）の移動に伴って、スライド板（３４）は図６（ａ）に示す元の位置に戻って、カメラ（５）及びフラッシュ（５１）を塞ぐ。この状態で、上ケース半体（３）は前記ロック機構により下ケース半体（２）に対してロックされることになる。
この結果、カメラモードが解除され、電話モードが設定される。
【００２４】
上記携帯電話機においては、図１及び図２の如く両ケース半体（２）（３）を互いに接近させてカメラ（５）を隠した状態で、カメラ（５）による撮影は不可能であり、図３及び図４の如く両ケース半体（２）（３）を互いに離間させてカメラ（５）を露出させた状態で、カメラ（５）による撮影が可能となるので、カメラ（５）が外観に現われているかどうかによって、カメラモード設定の有無を判断することが出来る。従って、第三者はユーザによる盗撮などの悪意の撮影を未然に発見することが出来ると共に、善意のユーザは安心して撮影を行なうことが出来る。
又、カメラ（５）による撮影を行なわない状態では、カメラ（５）のレンズはケース（１）によって覆われているので、レンズの損傷を防止することが出来る。
更に又、ロック解除釦（４）によるワンタッチの操作でカメラ（５）を露出させることが出来ると共に、カメラ（５）を露出されるために必要な軸部（２０）の露出量は最小限に抑えることが出来る。
【００２５】
第２実施例
本実施例の携帯電話機は、図７〜図１１に示す如く、下ケース半体（２）と上ケース半体（３）が互いに離間することによって、カメラ（５）とフラッシュ（５１）が軸部（２０）の裏面に露出する構成において、上記第１実施例と同じであるが、図１２に示す如く、上ケース半体（３）が、下ケース半体（２）から離間した状態で１８０度の回転が可能となっている。
【００２６】
即ち、図１５（ａ）（ｂ）に示す如く、下ケース半体（２）の軸部（２０）の上端部には、上ケース半体（３）側へ向けて枢軸（２４）が突設され、該枢軸（２４）に上ケース半体（３）が回転可能に支持されている。これによって、上ケース半体（３）は下ケース半体（２）に対して接近離間が可能であると共に、該接近離間方向を回転軸として回転が可能である。
【００２７】
図７〜図１０に示す如く、下ケース半体（２）の両側部にはそれぞれ、上ケース半体（３）へ向けて突出する凸部（２３）が形成される一方、上ケース半体（３）の両側部にはそれぞれ、前記凸部（２３）が嵌合可能な凹部（３５）が形成されている。
従って、図７及び図８に示す如く下ケース半体（２）と上ケース半体（３）が互いに接近した状態では、凸部（２３）と凹部（３５）が互いに嵌合して、上ケース半体（３）の回転が阻止される。これに対し、図９及び図１０に示す如く下ケース半体（２）と上ケース半体（３）が互いに離間した状態では、凸部（２３）と凹部（３５）の嵌合が外れて、上ケース半体（３）の回転が許容される。
【００２８】
そこで、図１２の如く下ケース半体（２）と上ケース半体（３）を互いに離間させた状態で上ケース半体（３）を回転させ、図１３の如く下ケース半体（２）の表面と上ケース半体（３）の裏面を同じ方向に向けると共に、図１４の如く下ケース半体（２）の裏面と上ケース半体（３）の表面を同じ方向に向ける。
これによって、図１４の如くカメラ（５）とディスプレイ（３１）が同じ方向を向くので、カメラ（５）によって操作者自身の映像を撮影する場合に、その映像をディスプレイ（３１）に表示することにより、その映像を見ながらカメラ（５）の撮影方向を調整することが出来る。
【図面の簡単な説明】
【図１】第１実施例の携帯電話機において電話モード設定時の表面側の斜視図である。
【図２】電話モード設定時の裏面側の斜視図である。
【図３】カメラモード設定時の表面側の斜視図である。
【図４】カメラモード設定時の裏面側の斜視図である。
【図５】カメラモード設定時の正面図である。
【図６】両ケース半体の接近離間に連動させてスライド板を移動させるための構成を示す背面図である。
【図７】第２実施例の携帯電話機において電話モード設定時の表面側の斜視図である。
【図８】電話モード設定時の裏面側の斜視図である。
【図９】カメラモード設定時の表面側の斜視図である。
【図１０】カメラモード設定時の裏面側の斜視図である。
【図１１】カメラモード設定時の背面図である。
【図１２】上ケース半体を反転させる過程を示す斜視図である。
【図１３】上ケース半体を反転させた状態の正面図である。
【図１４】上ケース半体を反転させた状態の背面図である。
【図１５】ケースの断面図である。
【図１６】従来の折り畳み式携帯電話機の斜視図である。
【符号の説明】
（１）　ケース
（２）　下ケース半体
（２０）　軸部
（２１）　操作キー
（２３）　凸部
（２４）　枢軸
（３）　上ケース半体
（３１）　ディスプレイ
（３４）　スライド板
（３５）　凹部
（４）　ロック解除釦
（５）　カメラ
（５１）　フラッシュ
（６）　リンク部材
（６１）　駆動部材
（６２）　バネ
【図１】
2004120430.tif 000003
【図２】
2004120430.tif 000004
【図３】
2004120430.tif 000005
【図４】
2004120430.tif 000006
【図５】
2004120430.tif 000007
【図６】
2004120430.tif 000008
【図７】
2004120430.tif 000009
【図８】
2004120430.tif 000010
【図９】
2004120430.tif 000011
【図１０】
2004120430.tif 000012
【図１１】
2004120430.tif 000013
【図１２】
2004120430.tif 000014
【図１３】
2004120430.tif 000015
【図１４】
2004120430.tif 000016
【図１５】
2004120430.tif 000017
【図１６】
2004120430.tif 000018